(57)【要約】【課題】ネジおおいに適当な撓みを持たせ、ボール・ボルトの作動時に安定的なトルクを持たせ、ボール・ボルトの作動不調を減少させ、ボール・ボルトの安定性を上げることのできるボール・ボルトのネジおおいを提供する。【解決手段】本発明は一種のボールボルトのネジおおい構造設計であり、そのネジおおいはねじ山に沿い切り溝を設置し、ネジおおいのこわさを下げ撓みを増加させることにより、隣接するねじ山中にボール間の応力変化を吸収し、ボールボルトが作動する時により安定的なトルクを持たせ順調な作動を産生させる。他に、本発明のボールボルトのネジおおい構造の加工を便利にし困難さを低減させるため、本発明のネジおおい構造設計は二個の半ネジおおいで組み立てることができボールボルトの製造コストを減少する。【選択図】    図４
2004346987.tif 000002
【特許請求の範囲】
【請求項１】
一種のボール・ボルトのネジおおいであり、そのネジおおいの内部に螺旋状のネジ山があり、ボルトと嵌りあい、しかも、上記のボルトとネジおおいのネジ山との間にそのボルトとネジおおいとを相互運動させるボールを設置し、
上記のネジおおいの上に、ネジ山に沿い切り溝を有しており、その切り溝の深さ広さの比は２以上であり、上記のネジおおいに適当な撓みを持たせ、隣接するネジ山の中のボール間における応力変化を吸収させ、ボール・ボルトが作動する時により安定的なトルクを持たせ、順調な作動を産生させ、安定的に性能を増すことを特徴とする、ボール・ボルトのネジおおい。
【請求項２】
請求項１に記載のボール・ボルトのネジおおいにおいて、その中の切り溝の位置は前記ネジ山の底に沿い配置することを特徴とする、ボール・ボルトのネジおおい。
【請求項３】
請求項１に記載のボール・ボルトのネジおおいにおいて、その中の切り溝の位置は前記ネジ山のトップに沿い配置することを特徴とする、ボール・ボルトのネジおおい。
【請求項４】
請求項１乃至３のいずれかに記載のボール・ボルトのネジおおいにおいて、その中の切り溝の位置は前記ネジおおい内側に配置することを特徴とする、ボール・ボルトのネジおおい。
【請求項５】
請求項１乃至３のいずれかに記載のボール・ボルトのネジおおいにおいて、その中の切り溝の位置は前記ネジおおい外側に配置することを特徴とする、ボール・ボルトのネジおおい。
【請求項６】
請求項１乃至３のいずれかに記載のボール・ボルトのネジおおいにおいて、その中のネジおおい構造は二個の半ネジおおいを組み立てて成り、ボール・ボルトの生産コストを低減できることを特徴とする、ボール・ボルトのネジおおい。
【発明の詳細な説明】
【０００１】
【発明が属する技術分野】
本発明は一種のボール・ボルトにおけるネジおおい（滾珠螺桿之螺帽）の構造設計に関するものであり、そのネジおおいがボルト上で移動する時、ボール・ボルトに安定したトルク又は圧力を持たせることができる。
【０００２】
【従来の技術】
ボール・ボルトは、一種のネジおおいがボルトを移動することにより機械を伝動させる部品であり、そのネジおおいがボルトを移動することは両ネジ山間のボールのローリングにより相対移動を産生させることである。故に、ボール・ボルトが作動すると、ネジおおいがボルトの上における加工誤差で生じた、異なる大きさのピッチを経ると、急な応力変化が発生し、ボール・ボルトのトルクが変動し、ボール・ボルトの作動が不順調になり、ボール・ボルトの安定性能に影響する。
【０００３】
図５は従来のボルト、ネジおおい組み立て断面概略図である。ボルト１０の外側に二個のネジおおい５０が嵌り、ボルト１０と嵌りあう二個のネジおおい５０の間に、ボルト１０と二個のネジおおい５０と相互運動するボール４０を設置している。それに、二個のネジおおい５０が互いに接合する空間に盤式ばね５１があり、それが二個のネジおおい５０間のトルク変動を吸収でき、ボール・ボルトの作動を順調にし、安定性を上げる。しかしこの従来の技術はダブルネジおおいのボール・ボルトのみに使え、応用範囲は制限されている。しかもネジおおいとネジおおいとの間のトルク変動だけを吸収できるので、改良が要る。
【０００４】
図６は従来のボルトとネジおおいとの組み立て断面概略図である。ボルト１０の外側にネジおおい６０が嵌りあい、ボルト１０とネジおおい６０との間にボルト１０とネジおおい６０と相互運動するボール４０を設置している。それに、ネジおおい６０の外側に撓み切り痕６１があり、この従来技術は同様にネジおおい６０の撓みを増し産生するトルクを吸収でき、ボール・ボルトの作動を順調にし、安定性を上げる。その技術は単一のネジおおいに使えるが、ネジおおいの撓み切り痕の近くにボールのローリング路線が無いため、ローリングできない。ゆえに、ネジおおいの上に撓み切り痕の数量と位置の設計は相当に制限される。尚、そのトルク変動の吸収機能がネジおおい撓み切り痕の両側だけに達するのでトルクを吸収する効果も制限され、改良が要る。
【０００５】
【発明の目的】
本発明の主な目的は一種のボール・ボルトのネジおおいを提供することであり、ネジおおいに適当な撓みを持たせ、ボール・ボルトの作動時に安定的なトルクを持たせ、ボール・ボルトの作動不調を減少させ、ボール・ボルトの安定性を上げる。
【０００６】
本発明の次の目的は一種のボール・ボルトのネジおおい構造を提供し、その構造がネジおおいの加工を便利にし、相対的にボール・ボルトの製造コストを減少させる。
【０００７】
【発明の内容】
ボール・ボルトのボルト又はネジおおいは多少加工により誤差があり、僅かに異なるピッチとなりトルク変動を産生し作動の不調となる。ボール・ボルトが作動する時に異なるピッチによるトルク変動は作動の不調とはならないため、本発明はまず、ニュートン第二運動定律Ｆ＝ＫＸから、同じ誤差の下に、Ｋの値が大きければ産生する応力が大きくなる。故に、本発明のボール・ボルトのネジおおいは、ネジおおいのＫ値を減少させることにより（ネジおおいのこわさ）Ｆの値（産生する応力値）を小さくさせ、応力がボール・ボルトに対する影響を降下させる。
【０００８】
そして、本発明におけるネジおおいのこわさを下げる設計はネジおおいのネジ山に沿い切り溝を設置することで、ネジおおいのこわさを降下させ撓みを増加させる。これで隣接するネジ山の中のボール間に異なるピッチを経る事による不安定な応力差を吸収する。ボール・ボルトが作動する時により安定したトルクを持たせ順調な作動を産生する。それに、本発明はネジおおい切り溝の深さ広さ比がネジおおいこわさに対する影響を考慮し、有限エレメント分析システムを利用し関連データを得、例えば図７に示すように、ネジおおい切り溝の深さ広さ比は２より大きい時に、ネジおおいのこわさは著しく降下する。
【０００９】
次に、本発明はネジおおいの撓み持ちの程度及び切り溝の設置位置との関連を考慮し、ネジ山の歯のトップに切り溝を設置し、又は歯の底に切り溝を設置し、又はネジ山の歯のトップか底にそれぞれ切り溝を設置することにより、ネジおおいを異なる切り溝位置の設計により適当な撓み程度を得る。
【００１０】
尚、本発明は他の機能の応用を考慮しネジおおいのネジ山に沿い設計するきり溝位置を変更させ、きり溝の位置をそれぞれネジおおいの内側又は外側に、又は内外両側に設置することにより、本発明をトルクを安定させる機能に応用できるほかに、更にネジおおい又はボールを潤滑させる機能に応用できる。
【００１１】
他に、本発明のボール・ボルトのネジおおい構造の加工を便利にし、困難性を低減させるため、本発明のネジおおい構造設計は二個の半ネジおおいで組み立てることができボール・ボルトの製造コストを減少する。その半ネジおおいは金型の方式で、金属でインジェックト又は蝋脱ずる方式で製造すれば、製造コストが大幅に低減できる。
【００１２】
本発明の特徴と技術内容を更に理解するため、下記の本発明に関する実施例を詳しく参考してください。この実施例と図式は説明と参考のみ、本発明を制限するものではない。
【００１３】
【発明の実施の形態】
図１は本発明の実施例の断面図であり、この実施例は外循環回流システムのネジおおいを例とし、中にボルト（図示せず）と嵌りあうネジおおい２０の内部に螺旋状のネジ山２３があり、ネジ山２３に沿い内きり溝２４を形成しネジおおい２０にかなりの撓みを持たせ、ネジおおい２０の上に循環管穴２６があり、ネジおおい２０のネジ山２３の中のボール（図示せず）が回流でき無限循環ローリングできる。
【００１４】
図２は本発明の第二実施例の組み立て図であり、この実施例は外循環回流システムの組み立てネジおおいを例とし、中に、ネジおおい２０は上下の二個半ネジおおい２１と２２で組み立てられ、半ネジおおい２１と２２に固定穴２５があり、ネジ３０が固定穴２５に固定され、二個半ネジおおい２１と２２が一つの完全なネジおおい２０を構成する。ネジおおい２１と２２とにはネジ山２３と内きり溝２４が形成され、半ネジおおい２１に循環管穴２６があり、ネジおおい２０の中のボール（表示していない）が回流でき無限循環ローリングできる。半ネジおおい２１上のネジ山２３と半ネジおおい２２上のネジ山２３は連続するネジ山に合成でき、ボール（図示せず）をその上にローリングさせる。半ネジおおい２１と２２に沿うネジ山２３はネジ山の歯のトップ及び底に切り溝２４を設置し、ネジおおい２０により良い撓みを持たせ、隣接するネジ山２３の中のボール間の応力変化を吸収でき、ボール・ボルトのトルクが変動に至らず、ボール・ボルトの作動が順調となり安定性が増す。
【００１５】
図３は本発明のボールとネジおおいの組み立て断面概略図である。ボルト１０の外側にネジおおい２０が嵌りあい、ボルト１０とネジおおい２０との間にボルト１０とネジおおい２０とを互いにローリングさせるボール４０を設置し、図３（Ａ）においては、ネジおおい２０の内側に内きり溝２４を形成し、内きり溝２４がネジ山２３に沿ったネジ山の底に位置し、ネジおおい２０に撓みを持たせ軸方向におけるネジ山２３の中のボール４０とボール４０とのトルク変動を吸収でき、ボール・ボルトの作動を順調にし、安定性が増す。図３（Ｂ）においては、ネジおおい２０に内きり溝２４があり、その主な特徴は内きり溝２４をネジ山２３に沿いネジ山のトップに位置させることで、ネジおおい２０に撓みを持たせ軸方向におけるネジ山２３の中のボール４０とボール４０とのトルク変動を吸収できる。図３（Ｃ）においては、ネジおおい２０に内きり溝２４があり、その主な特徴はネジ山２３のネジ山のトップと底との双方に沿い内きり溝２４を位置させることで、ネジおおい２０に撓みを持たせ軸方向におけるネジ山２３の中のボール４０とボール４０とのトルク変動を吸収できる。図３（Ｄ）においては、その主な特徴としてネジおおい２０の外側に外きり溝２９があり、その外きり溝２９はネジ山２３のネジ山のトップと底に沿って位置させ、ネジおおい２０に撓みを持たせ軸方向におけるネジ山２３の中のボール４０とボール４０とのトルク変動を吸収できる。図３（Ｅ）においては、ネジおおい２０の内外側にそれぞれ内きり溝２４と外きり溝２９とを位置させ、その内きり溝２４をネジ山２３に沿ったネジ山の底に位置させ、外きり溝２９をネジ山２３のネジ山のトップに沿って位置させ、ネジおおい２０に撓みを持たせ軸方向におけるネジ山２３の中のボール４０とボール４０とのトルク変動を吸収でき、ボール・ボルトの作動を順調にし、安定性を増す。図３（Ｆ）においては、ネジおおい２０の内きり溝２４をネジ山２３に沿ってネジ山のトップに位置させ、外きり溝２９をネジ山２３のネジ山の底に沿って位置させ、ネジおおい２０に撓みを持たせ軸方向におけるネジ山２３の中のボール４０とボール４０とのトルク変動を吸収でき、ボール・ボルトの作動を順調にし、安定性を増す。
【００１６】
図４は本発明の第三実施例の組立図である。この実施例も外循環回流システムの組み立てネジおおいを例とし、中に、半ネジおおい２１と２２とに固定穴２５があり、ネジ３０が二個の半ネジおおい２１，２２の固定穴２５に通し設置され、二個半ネジおおい２１と２２を一つの完全なネジおおい２０として組み立てる。ネジおおい２１と２２とに、ネジ山２３、内きり溝２４と循環管穴２６が設置され、その循環管穴２６でネジおおい２０の中のボール（図示せず）が回流でき無限循環ローリングできる。半ネジおおい２１上のネジ山２３と半ネジおおい２２上のネジ山２３は連続したネジ山として合成でき、ボール（図示せず）をその上でローリングさせる。半ネジおおい２１と２２に沿うネジ山２３は、ネジ山の歯のトップ及び底に切り溝２４を形成し、ネジおおい２０により良い撓みを持たせる。この例と前の実施例との差異は、二個半ネジおおい２１と２２との両端にそれぞれ相互嵌り合える栓２７と溝２８が設置され、二個の半ネジおおい２１と２２とを組み立てるときにより良い定位が得られる。他に、この例のネジおおい２０は上下対称で左右二個の半ネジおおい２１，２２に分けられるので、二個の半ネジおおい２１と２２は構造上同じで、製造プロセス上全く同じであり、しかもその構造はネジおおいの加工を便利にし、ボールボルトの製造コストを軽減させることができる。
【００１７】
【発明の効果】
先ず、本発明におけるボールボルトのネジおおいは、ネジおおいのネジ山構造に切り溝が形成されており、単ネジおおいと双ネジおおいには皆適当な撓みを持たせ、ボールボルトのトルク変動を吸収でき、ボールボルトの作動を順調にし、安定性を増すことができる。
【００１８】
又、本発明のボールボルトのネジおおいの切り溝は、ニーズに応じてネジ山のトップか底構造に配置でき、隣接するネジ山の中のボール間のトルク変動を吸収でき、又、切り溝をネジおおいの内側又は外側又は内外両側に設置でき、応用範囲を拡大させることができる。
【００１９】
他に、本発明のボールボルトのネジおおいの構造は、二個の半ネジおおいで一つの完全なネジおおいを組み立て、ネジおおいの加工が便利であり、ボールボルトの製造コストを軽減させることができる。
【図面の簡単な説明】
【図１】本発明に係るボール・ボルトのネジおおいの実施例における断面図である。
【図２】本発明に係るボール・ボルトのネジおおいの第二実施例における組み立て図である。
【図３】本発明に係るボルトとネジおおい組み立ての断面概略図（Ａ）〜（Ｆ）である
【図４】本発明に係るボール・ボルトのネジおおいの第三実施例における組み立て図である。
【図５】従来のボルトとネジおおい組み立ての断面概略図である。
【図６】従来のボルトとネジおおい組み立ての断面概略図である。
【図７】ネジおおいの切り溝の深さ広さ比とネジおおいのこわさの関係を示すグラフ図。
【符号の説明】
１０    ボルト
２０    ネジおおい
２１    半ネジおおい
２２    半ネジおおい
２３    ねじ山
２４    内切り溝
２５    固定穴
２６    循環管穴
２７    栓
２８    溝
２９    外きり溝
３０    ネジ
４０    ボール
５０    ネジおおい
５１    盤式バネ
６０    ネジおおい
６１    撓み切り痕
【図１】
2004346987.tif 000003
【図２】
2004346987.tif 000004
【図３】
2004346987.tif 000005
【図４】
2004346987.tif 000006
【図５】
2004346987.tif 000007
【図６】
2004346987.tif 000008
【図７】
2004346987.tif 000009